(57)【特許請求の範囲】
【請求項１】
掃除機本体と、この掃除機本体に収納される電動送風機及びコードリール部を備え、コードリール部は先端にプラグを有するコードと、このコードを捲回するリールと、このリールを掃除機本体の内部に回動可能に支持するリール支持体と、このリール支持体と一体に形成されたコードの巻き取りをガイドするプラグ収納部及びコード出口部とを備えたガイドカバーとからなり、
前記ガイドカバーは、コード出口部に隣接して略水平方向の位置に支持部を設け、前記支持部にプラグ抜け止め防止用の金属製のストッパー軸を挿着し、
上記ストッパー軸は、上記コードの引き出し及び巻き取りに際して回転しないことを特徴とする電気掃除機。
【請求項２】
掃除機本体と、この掃除機本体に収納される電動送風機及びコードリール部を備え、コードリール部は、先端にプラグを有するコードと、このコードを捲回するリールと、このリールを掃除機本体の内部に回動可能に支持するリール支持体と、このリール支持体と一体に形成され、前記プラグを掃除機本体外へ挿通するために前記プラグの外形寸法より大きいコード出口部と前記コードの巻き取りをガイドしてプラグを収納する収納部とを備えたガイドカバーとからなり、
前記ガイドカバーには、前記コード出口部に隣接して略水平方向の対向する位置に支持部を夫々設け、前記プラグを前記コード出口部へ挿通させた後に、前記支持部に金属製のストッパー軸を挿着することで、前記コード出口部を挿通した前記プラグは、前記コードが巻き取られても、前記ストッパー軸に当接し、前記リール内への巻き込みが防止されるとともに、前記ストッパー軸は、前記コードの引き出し及び巻き取りに際して回転しないことを特徴とする電気掃除機。
【請求項３】
上記ストッパー軸の頭部は、該ストッパー軸が回転しない形状であることを特徴とする請求項１または２記載の電気掃除機。
【発明の詳細な説明】
【０００１】
【発明の属する技術分野】
本発明は電動送風機のコードが捲回されたコードリール部を具備する掃除機本体のコード出口部に、コード巻き取りのガイドカバーをリール支持体と一体に設け、コードの先端のプラグが掃除機本体の内方に引き込まれるのを防ぐためプラグを電気掃除機の組立時においてガイドカバー内に仮止めする電気掃除機に関するものである。
【０００２】
【従来の技術】
従来の技術としては、特開平９−２０１３１８号公報に開示されている。図１１〜図１４に示すように、掃除機本体１０は、下ケース２と、上ケース１と、後ケース３等を外部に配置され、掃除機本体１０と、この掃除機本体１０に収納される電動送風機及びコードリール部８とを備え、コードリール部８は、先端にプラグ８８を有するコード８３と、このコード８３を捲回するリール８１と、このリール８１を掃除機本体の内部に回動可能に支持するリール支持体８２と、後ケース３上部に形成されたコード出口部３ｂと、前記リール８１との間に配設されリール８１に対するコード８３の巻き取りをガイドする合成樹脂で成形された筒状のガイドカバー７とからなり、ガイドカバー７は、ガイドカバー７の筒壁７１を軸線方向に沿って一定の幅で切り抜くコード挿入用の切り抜き部７２と、リール８１側の口部７ａ，７ｂに配設され、切り抜きから挿通されたコード８３のプラグ８８の抜けを止めるプラグ抜け止め部７３とを備え、さらに、前記切り抜き部７２の対向する一対の端面の少なくとも一方から他方に向かって延出し薄肉部７５ａで屈曲変形可能な延出部７５を備えた電気掃除機であった。そのため、後ケース３にもコード抜け止め部３２を設けていた。
【０００３】
【発明が解決しようとする課題】
上記の電気掃除機においては、プラグをガイドカバーのプラグ抜け止め部側へ挿通する時に、ガイドカバーに設けたコード挿入通の屈曲変形可能な切り抜き部の端部をコードで変形させて挿通させなせなければならないためコードを痛めることがあった。また、コード挿通用の切り抜き部を後ケースにコード抜け止め用の閉塞用突出リブを設けなければならず、金型構造が複雑になり、しかも、成形後の変形も生じ同一面に合わせにくく、コード巻き取り時にはガイドカバーと合わせ面の端部でコードを傷つけていた。
【０００４】
さらに、プラグ抜け止め部のコードの引き出し及び巻き取り時において、コード出口部、特にコード出口部の下面部がコードの摺動摩擦により摩耗して大きくなってプラグがリール内へ巻き込まれてしまうことがあった。特にコードを本体部に挿通し保持する場合において、コードに傷が付き易く、ケースを製作する上での金型や成形が複雑になり、組立作業性も悪くなると云う問題があった。
【０００５】
【課題を解決するための手段】
本発明の電気掃除機は上記のような課題を解決したもので、請求項１記載の発明は、掃除機本体と、この掃除機本体に収納される電動送風機及びコードリール部を備え、コードリール部は先端にプラグを有するコードと、このコードを捲回するリールと、このリールを掃除機本体の内部に回動可能に支持するリール支持体と、このリール支持体と一体に形成されたコードの巻き取りをガイドするプラグ収納部及びコード出口部とを備えたガイドカバーとからなり、前記ガイドカバーは、コード出口部に隣接して略水平方向の位置に支持部を設け、前記支持部にプラグ抜け止め防止用の金属製のストッパー軸を挿着し、上記ストッパー軸は、上記コードの引き出し及び巻き取りに際して回転しないことを特徴とするものである。
【０００６】
また、請求項２記載の発明は、掃除機本体と、この掃除機本体に収納される電動送風機及びコードリール部を備え、コードリール部は、先端にプラグを有するコードと、このコードを捲回するリールと、このリールを掃除機本体の内部に回動可能に支持するリール支持体と、このリール支持体と一体に形成され、前記プラグを掃除機本体外へ挿通するために前記プラグの外形寸法より大きいコード出口部と前記コードの巻き取りをガイドしてプラグを収納する収納部とを備えたガイドカバーとからなり、前記ガイドカバーには、前記コード出口部に隣接して略水平方向の対向する位置に支持部を夫々設け、前記プラグを前記コード出口部へ挿通させた後に、前記支持部に金属製のストッパー軸を挿着することで、前記コード出口部を挿通した前記プラグは、前記コードが巻き取られても、前記ストッパー軸に当接し、前記リール内への巻き込みが防止されるとともに、前記ストッパー軸は、前記コードの引き出し及び巻き取りに際して回転しないことを特徴とするものである。
【０００７】
そして、請求項３記載の発明は、上記ストッパー軸の頭部は、該ストッパー軸が回転しない形状であることを特徴とするものである。
【０００８】
本発明における掃除機本体とは、電動送風機及びコードリール部等が収納されるケースからなる。このケースは、前後、上下、左右等、または、これらを組み合わせた方向から接合されるよう２つ以上分割されてもよい。
【０００９】
また、本発明におけるコードリール部は、プラグを先端に有するコードが捲回されており、このコードを巻き取るため付勢手段を備え、掃除機本体のコード出口部から引き出されたコードをこの付勢手段によりリールに巻き取る巻取機構を具備するのが好ましい。
【００１０】
そして、本発明におけるプラグは、リールに捲回されるコードのー端部に取り付けられ、コードの外径より大径で構成された絶縁把持部を有するものである。
【００１１】
さらに、本発明におけるコード出口部は、プラグを容易に引き出される形状で構成されることが好ましく、掃除機本体のいずれの部位に形成されていてもよく、好ましくは、電動送風機の排気側を形成する掃除機本体の後部である。
【００１２】
さらにまた、本発明におけるガイドカバーは、コード出口部から引き出されたコードがコード巻き取り機構によりリールに巻き取られる際に、リールの巻き取り方向に沿って導かれるよう、巻き取り方向に開口する開口部を両端に有する筒状部材が好ましい。リール側の開口部は、リールに巻き取られるコード先端のプラグがガイドカバーを通過して掃除機本体の内部に入り込まないよう、プラグの通過を阻む形状及び口径で構成されるのが好ましい。
【００１３】
また、コードリール部は、手巻きによる巻き取りであってもよく、リールとリール支持体との間に張架された渦巻きばね等の回転力付与手段によりリールを回転させて巻き取りを行うものであってもよい。この場合、ガイドカバーから引き出されたコードの巻き取りを制御するブレーキ機構を有するものが好ましい。
【００１４】
そして、リール支持体には、コードの一端と電動送風機とを接続する回路基板を配設してもよい。本発明における切り抜き部は下方が切り欠かかれていて、コードの外径より大きくして略直線的に構成されることが好ましい。プラグ抜け止め部は、コードのみを挿通させ、コードの外径より大径で構成された絶縁把持部を挿通不能とする形状、大きさを有するようにストッパー軸が取り付けられ、コード出口部を形成するのが好ましい。
【００１５】
【発明の実施の形態】
以下、本発明の電気掃除機の実施の形態を図１〜図１０とともに説明する。
【００１６】
図１〜図３は本発明の電気掃除機の実施の形態に係る電気掃除機本体１０の外観を示し、図１〜図３において、掃除機本体１０は上下方向に互いに接合されて内側に送風路を形成する上ケース１と、蓋ケース１ａ、及び下ケース２から主に構成され、上ケース１の後面に排気口１ｅ及びコード出口穴１ｆが、下ケース２の前方中央には自在車１３ａ、前部にはホース接続口部５、後方両側には車輪１３ｂが形成されている。掃除機本体１０の内部には、ホース接続口部５に連通する集塵室６と、電動送風機４及びコードリール部８を収納する、送風機収納室９とから構成されている。
【００１７】
上記上ケース１には、集塵室６の上部を開閉可能に覆う蓋ケース１ａが集塵袋６ａ交換のために、前部のヒンジ部（図示せず）を支軸として上下方向に回動可能に取着されている。上ケース１の上部には、把手１１及びコードリール部８のブレーキ解除ボタン用の開口部１２で構成されている。
【００１８】
図４は掃除機本体１０の縦断面図、図５は下ケース２に配置された内部構造を示す平面図である。図５において、コードリール部８は下ケース２の集塵室６の後部に送風機収納室９に電動送風機４を配置し、室を仕切る室壁２ｃを隔ててコードリール部８が配置されていて、コード８８は掃除機本体１０の後部側へ引き出すようになっている。
【００１９】
図６〜図８はコードリール部を示す図であって、図６はその外観側面図、図７は図６における平断面図、図８は分解斜視図である。図９は上ケース１を装着したときの図５におけるＡ−Ａ断面図、図１０は図３におけるＢ−Ｂ断面図でガイドカバー７と上ケース１の装着状態を示す図である。
【００２０】
上記コードリール部８は、図５に示すように、送風機収納室９において電動送風機４と車輪１３の間に配置され、図６のコードリール部８において、ガイドカバー７と一体に形成されたリール支持体８２と、リール８１に捲回されたコード８３と、ブレーキ機構とからなり、リール８１はゼンマイ８１ｄの収容部を有するドラム８１ｃと、外周面にブレーキ摩擦面８１ａを有するドラム８１ｂとで構成され、両者の結合によって形成される空間部にコード８３を接続し、ネジ（図示せず）で一体に結合させている。
【００２１】
上記リール８１は、リール支持体８２の表面側に突出するリール軸８５の周りに回動可能に支持されると共に、リール支持体８２との間でゼンマイ８１ｄで連結され、引き出されたコード８３をリール８１に巻き取る付勢力が与えられている。
【００２２】
上記リール８１の外周縁部には、凹凸面からなるブレーキ摩擦面８１ａが形成されている。リール支持体８２の上部には引き出されたコード８３を、前記した付勢力に抗して制動させ、任意の長さに保持するブレーキ機構８６が取り付けられている。
【００２３】
上記ブレーキ機構８６はリール支持体８２の裏面側に突出する支軸６１の周りに回動可能に支持されたレバー６２と、このレバー６２の上部のブレーキ解除ボタン６３と、前記ブレーキ摩擦面８１ａを押圧する押圧部６４と、リール支持体８２の上部と押圧部６４との間に配置された圧縮コイルばね６５とからなり、上ケース１の開口部１２から露出させたブレーキ解除ボタン６３を押圧操作するとレバー６２がコイルばね６５の付勢力に抗して回転して、ブレーキ摩擦面８１ａを押圧していた押圧部６４がブレーキ摩擦面８１ａから離れてリール８１のブレーキが解除される。
【００２４】
上記コード８３の他端にはプラグ８８が配設されていて、プラグ８８は軟質性樹脂にてコード８３をインサート成形され、把持部９１と把持部９１の先端の差し込み部９２からなり、把持部９１の基部には大径のフランジ部９３が形成されている。上記リール８１と上ケース１に設けたコード出口穴１ｆとの間には、上ケース１の後部内側を支持するガイドカバー７の外周端部に当接して支持されるように取り付けられている。
【００２５】
上記ガイドカバー７は、リール支持体８２と一体に形成されていて、引き出されたコード８３がゼンマイ８１ｄの付勢力によりリール８１に巻き取られる際にコード８３をリール８１の巻き取り方向に導くよう、巻き取り方向に沿ってコード８３を挿通させ、プラグ８８のリール８１内への巻き込みを防ぐための第１のコード出口部７１ａと、この第１のコード出口部７１ａに連なる第２のコード出口部７１ｂとを筒口とする略矩形断面の角筒状の部材としている。
【００２６】
上記ガイドカバー７の形状は、上記した図６〜図１０に示すようにコード巻き込みにおいて、コード出口部７１の第１のコード出口部７１ａの水平方向で、かつ、第１のコード出口部７１ａと略直交して相対する側壁７ａ、７ｂにコード８３のリール内への巻き込みを防いで保持するストッパー支持部７ｃ，７ｄを水平直線方向に対向して設け、ストッパー軸７ｅ挿着のための取付穴７１１，７１２を有し、プラグ８８を第１のコード出口部７１ａを第２のコード出口部７１ｂ側へ挿通させた後、金属製の部材で作られたストッパー軸７ｅをコードを下面側にして圧挿する。上記プラグ８８は、ストッパー軸７ｅに当接してリール８１内への巻き込みを阻止して仮止めされる。ストッパー軸７ｅを圧挿前は第１のコード出口部７１ａは、プラグの外形寸法より大きくしている。
【００２７】
尚、上記ガイドカバー７において、リール支持体８２側のストッパー支持部７ｃには丸穴状の単なる取付穴７１１を、この取付穴７１１と対向する側のストッパー支持部７ｄには丸穴状と角穴状とを一体的に有する取付穴７１２を設けていて、支持体８２側の側壁７ａと，この側壁７ａと対向する側には側壁７ｂに各々隣接させている。この取付穴７１１，７１２に挿着できるようストッパー軸７ｅも各々同様に圧挿させている。
【００２８】
本発明の実施の形態では、上記ストッパー軸７ｅの頭部７１４を角形にしてコード８３の引き出し及び巻き取りに際してストッパー軸７ｅの回転を防止してコードの摺動騒音をなくするためであって、廻り止めとして機能できる形状であればよい。
【００２９】
また、上記ストッパー軸７ｅは、軸部７１３の外径部に突起７１６を１カ所設けている。この突起７１６は円錐状、または、くさび状等の形状であってもよく、ストッパー支持部７ｄの段つき部端面７１５より内方に設けられている。その位置及び形状については、ストッパー支持部７ｄ内面に食い込まれるよう適切になされていて、ストッパー軸７ｅがカイドカバー７から抜け落ちないようになされている。上記プラグ８８は、ガイドカバー７の第１のコード出口部はプラグ８８の寸法より大きく開口させていて、プラグ８８を第１の口部を挿通させた後、ストッパー軸７ｅをガイドカバー７のストッパーの取付穴７１１，７１２に挿着する。よって、プラグ８８の把持部９１端部で保持できる。
【００３０】
上記プラグ８８が保持されたコードリール部８を下ケース２に装着した後、下ケース２に上ケース１を装着する。プラグ８８の差し込み部９２の先端は、ガイドカバー７の第２のコード出口部７１ｂの端部から少々外方へ突出する寸法に設定されていて、上ケース１を下ケース２に装着する際はプラグ８８を予めコードリール部８に巻き込まれた状態で行えるようになされている。
【００３１】
図９において、上ケース１には、電動送風機４とコードリール部を仕切る室壁１ｄが一体で形成されている。同じように、下ケース２も上ケース１と同じように電動送風機４とコードリール部８を仕切る室壁２ｄが一体で形成され、上ケース１と下ケース２とはリール支持体８２を介して空気洩れのないよう完全に仕切られていて、コードリール８が支持、固定されている。
【００３２】
上記上ケース１は、上記コードリール部８と一体に形成されたガイドカバー７の第１のコード出口部７１ａに配設したストッパー軸７ｅの端面下方まで臨ませ、前記ストッパー軸７ｅの軸方向に対し直交させた阻止リブ１ｃを設け、この阻止リブ１ｃは、上ケース１と一体に設けられている。この阻止リブ１ｃは、同時にドラム８１ｃの側面の略端部上になるように位置させていて、その外周隙間はコードの外径より狭くしてコード８８の巻き取り時におけるドラム８１ｃ内から外部への乗り越えを防止させることも同時に兼ねさせている。
【００３３】
また、上記阻止リブ１ｃはストッパー軸７ｅの頭部７１４の端面、または、ストッパー支持部７ｄの端面のいずれかよりも軸方向に若干の隙間を設けていて、この隙間は頭部７１４がストッパー支持部７ｄから外れない範囲に設定すればよい。
【００３４】
この阻止リブ１ｃを上ケース１と一体に設けているので、ストッパー軸７ｅは頭部７１４に廻り止めや突起７１６を設けずに単なるストレート軸でも可能となる。
【００３５】
尚、本発明の実施の形態では、上ケース１と排気口１ｅ、コード出口部１ｂとを一体的に設けているが、別体としても実施でき得る。
【００３６】
一方、上ケース１には、上記したストッパー軸７ｅの抜けを阻止する阻止リブ１ｃとは別に図１０に示すように、上ケース１と一体にガイドカバー７の第１のコード出口部７１ａの一部を塞ぐ停止リブ１ｈをコードの巻き取り方向に対して直交して設けている。この停止リブ１ｈは、上ケース１と一体に形成されていて、天面から突出させ、ガイドカバー７の側壁７ａ，７ｂに隣接して取り付けられ、ガイドカバー７の側壁７ａ，７ｂ間の口幅と、第１のコード出口部の高さとをプラグ８８の把持部９１の後部の上端面より下方に設け、プラグがリール８１内へ巻き込まれないようになされている。
【００３７】
従って、上ケース１をコードリール部８を組み込んだ下ケース２へ装着させることによって、プラグ８８の巻き込みに対する停止とプラグ８８の所定位置の保持が確実にできる。
【００３８】
【発明の効果】
本発明の電気掃除機は上記のような構成であるから、リール支持体と一体に形成されたコードの巻き取りをガイドしてプラグ収納部及びコード出口部並びにプラグ抜け止め部とを備えたガイドカバー引とからなり、前記ガイドカバーは、コード挿通後にガイドカバーのコード出口部に隣接して略水平方向の位置に支持部を設け、コード挿通後に、前記支持部にプラグ抜け止め防止用のストッパー軸を挿着したので、コードの被覆を痛めずにコードの挿通及び保持ができる。
【００３９】
また、コード出口部の摩耗によってプラグがリール内に巻き込んでしまうことがなくなり、ストッパー軸の摩耗も少なくなるので、ガイドカバーを交換する必要もなくなる。
【００４０】
そして、軸の回転と抜け止めが同時に防止でき、軸を固定するための複雑な加工や締結部品が不要になる。
【図面の簡単な説明】
【図１】本発明の電気掃除機の一実施の形態に係る外観平面図である。
【図２】図１の電気掃除機の外観側面図である。
【図３】図１の電気掃除機の外観背面図である。
【図４】図２の電気掃除機の断面図である。
【図５】図３の下ケースに配置された内部構造を示す平面図である。
【図６】図５のコードリール部の側面図である。
【図７】図６のコードリール部の平断面図である。
【図８】図６のコードリール部の分解斜視図である。
【図９】図５の上ケースを装着したときのＡ−Ａの断面図である。
【図１０】図３のＢ−Ｂ断面図である。
【図１１】従来の電気掃除機の外観背面図である。
【図１２】従来のコードリール部の側面図である。
【図１３】従来のガイドカバーの薄肉部を説明する正面要部拡大図である。
【図１４】従来の後ケースにガイドカバーが固定された状態を示す平面図である。
【符号の説明】
１  上ケース
１ａ  蓋ケース
１ｂ  コード出口部
１ｃ  阻止リブ
１ｄ  室壁
１ｆ  コード出口穴
１ｈ  停止リブ
２  下ケース
２ｄ  室壁
７  ガイドカバー
８  コードリール部
６３  ブレーキ解除ボタン
７ａ，７ｂ  側壁
７ｃ，７ｄ  ストッパー支持部
７ｅ  ストッパー軸
７１  コード出口部
７１ａ  第１のコード出口部
７１ｂ  第２のコード出口部
８１  リール
８１ａ  ブレーキ摩擦面
８１ｄ  ゼンマイ
８２  リール支持体
８３  コード
８５  リール軸
８６  ブレーキ機構
８８  プラグ
７１１，７１２  取付穴
７１３  軸部
７１４  頭部
７１５  段つき部端面
７１６  突起
【図１】
0003555731.tif 000002
【図２】
0003555731.tif 000003
【図３】
0003555731.tif 000004
【図４】
0003555731.tif 000005
【図５】
0003555731.tif 000006
【図６】
0003555731.tif 000007
【図７】
0003555731.tif 000008
【図８】
0003555731.tif 000009
【図９】
0003555731.tif 000010
【図１０】
0003555731.tif 000011
【図１１】
0003555731.tif 000012
【図１２】
0003555731.tif 000013
【図１３】
0003555731.tif 000014
【図１４】
0003555731.tif 000015